(57)【要約】【課題】  カバー固定治具の光線透過部と透明カバーとの間の部分での光線の屈折や反射を防止することを課題とする。【解決手段】  ハウジング２の溶着部２ａの上に透明カバー３の溶着部３ａを重ねて配置し、さらに、透明カバーの上に光線透過部５ｂを備えたカバー固定治具５を配置して該カバー固定治具によって上記透明カバーをハウジング側に押し付ける工程と、上記カバー固定治具の光線透過部及び透明カバーを透過させてハウジングの溶着部に光線を照射し、該光線の照射によってハウジングの溶着部を励起発熱させ、該発熱によって透明カバーの溶着部も発熱させて、上記２つの溶着部を相溶状態として接合させる工程とを備え、上記光線透過部と透明カバーとの間の少なくとも一部に光学ゲル６を介在させる。【選択図】図１
2006164829.tif 000002
【特許請求の範囲】
【請求項１】
車輌用灯具のハウジングと透明カバーとを接合する車輌用灯具の製造方法であって、
ハウジングの溶着部の上に透明カバーの溶着部を重ねて配置し、さらに、透明カバーの上に光線透過部を備えたカバー固定治具を配置して該カバー固定治具によって上記透明カバーをハウジング側に押し付ける工程と、
上記カバー固定治具の光線透過部及び透明カバーを透過させてハウジングの溶着部に光線を照射し、該光線の照射によってハウジングの溶着部を励起発熱させ、該発熱によって透明カバーの溶着部も発熱させて、上記２つの溶着部を相溶状態として接合させる工程とを備え、
上記光線透過部と透明カバーとの間の少なくとも一部に光学ゲルを介在させた
ことを特徴とする車輌用灯具の製造方法。
【請求項２】
上記光学ゲルが、上記光線透過部とほぼ同じ屈折率を有する
ことを特徴とする請求項１に記載の車輌用灯具の製造方法。
【請求項３】
車輌用灯具のハウジングと透明カバーとを接合する車輌用灯具の製造装置であって、
光線透過部を有し、ハウジングの溶着部の上に透明カバーの溶着部を重ねて配置した状態で透明カバーの上に配置されて透明カバーをハウジング側に押し付けるカバー固定治具と、
上記光線透過部及び透明カバーを透過してハウジングの溶着部に光線を照射してハウジングの溶着部を励起発熱させる光線照射部と、
上記光線透過部と透明カバーとの間の少なくとも一部に介在された光学ゲルとを備えた
ことを特徴とする車輌用灯具の製造装置。
【請求項４】
上記光学ゲルが、上記光線透過部とほぼ同じ屈折率を有する
ことを特徴とする請求項３に記載の車輌用灯具の製造装置。
【発明の詳細な説明】
【技術分野】
【０００１】
本発明は新規な車輌用灯具の製造方法及び車輌用灯具の製造装置に関する。詳しくは、車輌用灯具のハウジングと透明カバーとを短時間で見映え良く接合する技術に関する。
【背景技術】
【０００２】
車輌用灯具のハウジングと透明カバーとを接合する技術に、光線の照射による材料樹脂の原子レベルの励起による発熱を利用して溶着する技術が知られている。
【０００３】
かかる光線照射によって確実な溶着を為すには、ハウジングの溶着部と透明カバーの溶着部とが確実に接触していてハウジングに発生した熱が透明カバーに確実に伝達されることが必要である。
【０００４】
車輌用灯具、特に自動車用のコンビネーションランプにあっては、大型のものが多く、ハウジングの上に透明カバーを単に重ねて置いただけでは、全周に亘って、ハウジングと透明カバーの溶着部が接触をするとは限らない。むしろ、接触をしない部分が生じるのが普通である。
【０００５】
そこで、例えば、カバー固定治具とでも言うべき部材ａによって透明カバーｂをハウジングｃの方へ押し付け、これによって、ハウジングｃと透明カバーｂとを全周に亘って接触させることが考えられる。
【０００６】
ところで、カバー固定治具ａによって透明カバーｂをハウジングｃの方へ押し付ける場合、カバー固定治具ａの少なくともハウジングｃと透明カバーｂの互いに接触した溶着部の上方に位置する部分を光線の透過を許容する光線透過部ｄとしなければ、光線をハウジングの溶着部に照射することが出来ないので、カバー固定治具ａの少なくとも透明カバーｂの溶着部の上方に位置する部分は光線透過部ｄとする必要がある。これによって、光線をカバー固定治具ａの光線透過部ｄ及び透明カバーｂを透過させてハウジングｃの溶着部に照射することが可能になる。
【発明の開示】
【発明が解決しようとする課題】
【０００７】
ところで、上記したように、光線ｅをカバー固定治具ａの光線透過部ｄ及び透明カバーｂと透過させてハウジングｃの溶着部に照射する場合、カバー固定治具ａの光線透過部ｄが透明カバーｂに密着していないと、当該部分で、光線ｅが屈折や反射ｅ′を起こし、ハウジングｃの溶着部に十分な強さの光線が集光照射されないと言う問題がある。しかも、同じ金型によって成形された透明カバーであっても、成形後の収縮等により微妙な誤差が生じるため、全ての透明カバーがカバー固定治具の光線透過部と密着できるとは限らず、微妙な間隙が生じてしまい、上記した光線の屈折や反射を避けることは困難である。
【０００８】
そこで、本発明は、カバー固定治具の光線透過部と透明カバーとの間の部分での光線の屈折や反射を防止することを課題とする。
【課題を解決するための手段】
【０００９】
本発明車輌用灯具の製造方法は、上記した課題を解決するために、ハウジングの溶着部の上に透明カバーの溶着部を重ねて配置し、さらに、透明カバーの上に光線透過部を備えたカバー固定治具を配置して該カバー固定治具によって上記透明カバーをハウジング側に押し付ける工程と、上記カバー固定治具の光線透過部及び透明カバーを透過させてハウジングの溶着部に光線を照射し、該光線の照射によってハウジングの溶着部を励起発熱させ、該発熱によって透明カバーの溶着部も発熱させて、上記２つの溶着部を相溶状態として接合させる工程とを備え、上記光線透過部と透明カバーとの間の少なくとも一部に光学ゲルを介在させたものである。
【００１０】
また、本発明車輌用灯具の製造装置は、上記した課題を解決するために、光線透過部を有し、ハウジングの溶着部の上に透明カバーの溶着部を重ねて配置した状態で透明カバーの上に配置されて透明カバーをハウジング側に押し付けるカバー固定治具と、上記光線透過部及び透明カバーを透過してハウジングの溶着部に光線を照射してハウジングの溶着部を励起発熱させる光線照射部と、上記光線透過部と透明カバーとの間の少なくとも一部に介在された光学ゲルとを備えたものである。
【００１１】
従って、本発明にあっては、透明カバーとカバー固定治具との間の少なくとも一部に光学ゲルが介在される。
【発明の効果】
【００１２】
本発明車輌用灯具の製造方法は、車輌用灯具のハウジングと透明カバーとを接合する車輌用灯具の製造方法であって、ハウジングの溶着部の上に透明カバーの溶着部を重ねて配置し、さらに、透明カバーの上に光線透過部を備えたカバー固定治具を配置して該カバー固定治具によって上記透明カバーをハウジング側に押し付ける工程と、上記カバー固定治具の光線透過部及び透明カバーを透過させてハウジングの溶着部に光線を照射し、該光線の照射によってハウジングの溶着部を励起発熱させ、該発熱によって透明カバーの溶着部も発熱させて、上記２つの溶着部を相溶状態として接合させる工程とを備え、上記光線透過部と透明カバーとの間の少なくとも一部に光学ゲルを介在させたことを特徴とする。
【００１３】
本発明車輌用灯具の製造装置は、車輌用灯具のハウジングと透明カバーとを接合する車輌用灯具の製造装置であって、光線透過部を有し、ハウジングの溶着部の上に透明カバーの溶着部を重ねて配置した状態で透明カバーの上に配置されて透明カバーをハウジング側に押し付けるカバー固定治具と、上記光線透過部及び透明カバーを透過してハウジングの溶着部に光線を照射してハウジングの溶着部を励起発熱させる光線照射部と、上記光線透過部と透明カバーとの間の少なくとも一部に介在された光学ゲルとを備えたことを特徴とする。
【００１４】
従って、本発明にあっては、光学ゲルによってカバー固定治具の光線透過部と透明カバーとの間が埋められるので、この部分での光線の屈折や反射が抑制され、光線が効率よくハウジングの溶着部に照射される。
【００１５】
請求項２及び請求項４に記載した発明にあっては、上記光学ゲルが、上記光線透過部とほぼ同じ屈折率を有するので、カバー固定治具の光線透過部と透明カバーとが対向した部分での光線の屈折や反射がほとんどない。
【発明を実施するための最良の形態】
【００１６】
以下に、本発明車輌用灯具の製造方法及び車輌用灯具の製造装置を実施するための最良の形態を添付図面を参照して説明する。
【００１７】
図１に本発明車輌用灯具の製造装置の概略を示す。
【００１８】
この車輌用灯具の製造装置１は、車輌用灯具のハウジング２にその開口を覆う透明カバー３を溶着するものである。
【００１９】
車輌用灯具の製造装置１は光線照射部４を備える。光線照射部４はレーザー、可視光線、紫外線、赤外線等の干渉性又は非干渉性の電磁波を照射するものであり、光線透過部材である透明カバー３や上記電磁波の照射によって励起状態となるハウジング２の材料樹脂に応じて適宜のものが選ばれる。
【００２０】
車輌用灯具の製造装置１は、ハウジング２の溶着部である溶着面２ａに透明カバー３の溶着部である溶着面３ａを重ね合わせた状態で、透明カバー２をハウジング２の方へ押し付けるカバー固定治具５を備える。カバー固定治具５の下面５ａ、特に、透明カバー３の溶着面３ａに対応した前面に接触する部分は（設計上）透明カバー３の前面３ｂの形状とほぼ同じに形成され、透明カバー３の前面３ｂに密着して、透明カバー３の溶着面３ａを確実にハウジング２の溶着面２ａに接触させることが出来るようにされている。そして、カバー固定治具５のうち透明カバー３の溶着面３ａに対応した箇所は透明な材料で形成され、光線透過部５ｂとされている。なお、光線透過部５ｂは上記した箇所にだけ形成されていれば良いが、カバー固定治具５の全体を透明な材料で形成しても構わない。そして、光線透過部５ｂを構成している材料は透明カバー３の屈折率とほぼ同じ屈折率を有する材料であることが好ましい。
【００２１】
上記ハウジング２は、例えば、その後面を受け入れる凹部を有する図示しない載置治具上に載置され、該ハウジング２の上に互いの溶着面２ａ、３ａ同士が接触するように透明カバー３が重ね合わされ、さらに、カバー固定治具５が透明カバー３の上に重ねられて、その下面５ａが透明カバー３の前面３ｂに接触され（設計上）、その状態で、カバー固定治具５が下方に付勢されて、透明カバー３をハウジング２に押し付ける。さらに、少なくとも透明カバー３の前面３ｂのうち溶着面３ａに対応した部分とカバー固定治具５の下面５ａとの間には光学ゲル６が介在される。上記光学ゲル６は２液性であり、カバー固定治具５の下面５ａに固定されている。なお、上記光学ゲル６はカバー固定治具５の上記光線透過部５ｂとほぼ同じ屈折率を有することが望ましい。
【００２２】
そして、光線照射部４によって適宜の光線（電磁波）がカバー固定治具５の光線透過部５ｂ、透明カバー３を透過してハウジング２の溶着面２ａに照射される。なお、ハウジング２の材料樹脂には照射される電磁波の波長と振動周期が一致するラジカルによって構成される分子構造を有するものが使用されるか又はそのような材料が混練りされた材料が使用されており、従って、電磁波の照射により、溶着面２ａは励起状態となり発熱する。なお、ハウジング２の材料樹脂が照射される電磁波の吸収性が良好でないものである場合は、その溶着面２ａに当該電磁波の吸収性の良い材料を塗布或いは付着させておいても良い。なお、上記透明カバー３及び光線透過部５ｂの材料は、逆に、照射される電磁波の吸収性の良くないものであることが好ましい。
【００２３】
以上のように、光線照射部４による光線の照射により、ハウジングの溶着面２ａが発熱すると、該発熱が透明カバー３の溶着面３ａ（ハウジング２の溶着面２ａと接触している面）に伝達され、両溶着面２ａ、３ａ共に加熱され、相溶状態となり、２つの溶着面２ａ、３ａが接触した界面においてハウジング２及び透明カバー３の材料樹脂が一体化する。
【００２４】
そして、この過程において、少なくとも透明カバー３の前面３ｂのうち溶着面３ａに対応した部分とカバー固定治具５の下面５ａとの間には光学ゲル６が介在されているので、光学ゲル６の弾性により透明カバー３の前面３ｂとカバー固定治具５の下面５ａとの間の微妙な間隙を吸収することができ、カバー固定治具５の光線透過部５ｂを透過してきた光線は透明カバー３の前面３ｂとの界面で反射されたり屈折されたりすることがなく、所望のパワーの光線がハウジングの溶着面２ａに照射されることになる。
【００２５】
以上のようにして、ハウジング２と透明カバー３とが互いの溶着面２ａ、３ａにおいて接合される。
【００２６】
なお、上記した実施の形態において示した各部の形状及び構造は、何れも本発明を実施するに際して行う具体化のほんの一例を示したものに過ぎず、これらによって本発明の技術的範囲が限定的に解釈されることがあってはならないものである。
【産業上の利用可能性】
【００２７】
大型の車輌用灯具のハウジングと透明カバーとの溶着を確実に行うことが出来る。
【図面の簡単な説明】
【００２８】
【図１】本発明車輌用灯具の製造装置の実施の形態を示す概略断面図である。
【図２】従来の問題点を示す要部の拡大断面図である。
【符号の説明】
【００２９】
１…車輌用灯具の製造装置、２…ハウジング、２ａ…溶着面（溶着部）、３…透明カバー、３ａ…溶着面（溶着部）、４…光線照射部、５…カバー固定治具、５ｂ…光線透過部、６…光学ゲル
【図１】
2006164829.tif 000003
【図２】
2006164829.tif 000004